(57)【要約】  本発明の実施例は、従来の複数の移動端末に同一のアカウントをログインする際に、該アカウントを使用するユーザのプライベート情報の機密性及び安全性を保証できない問題を解決するための情報の処理方法、優先度情報の送信方法及び装置を提供する。該情報の処理方法は、端末がログイン済みのアカウントに送信する情報を受信した後に、ネットワーク側装置が送信した該アカウントをログインする各端末の標識と各端末の優先度を含む該アカウントに対応する優先度情報に基づいて、自分が最高優先度であるかどうかを判断することと、そうであると、受信した情報に基づいて対応のアプリケーションプログラムを起動し、そうでないと、受信した情報に対応するアプリケーションプログラムを起動しないこととを含む。該優先度情報の送信方法は、ネットワーク側装置は同一のアカウントをログイン済みの各端末を確定することと、同一のアカウントをログインする各端末に対して、ネットワーク側装置が各端末に該アカウントの優先度情報を送信することと、を含む。【選択図】図１
2015534336.tif 000002
【特許請求の範囲】
【請求項１】
情報の処理方法であって、
端末がログイン済みのアカウントに送信する情報を受信した後に、ネットワーク側装置が送信した前記アカウントをログインする複数の端末の標識と前記標識に対応する優先度を含む前記アカウントの優先度情報に基づいて、前記端末自分が最高優先度であるかどうかを判断することと、
そうであると、受信したログイン済みのアカウントに送信する情報に基づいて、対応のアプリケーションプログラムを起動し、そうでないと、受信したログイン済みのアカウントに送信する情報に対応するアプリケーションプログラムを起動しないことと、を含む情報の処理方法。
【請求項２】
前記端末はログイン済みのアカウントに送信する情報を受信した後に、自分が最高優先度であるかどうかを判断する前に、
前記端末は受信したログイン済みのアカウントに送信する情報に対応するアプリケーションプログラムが前記端末の優先度を検出する必要があるアプリケーションプログラムであることを確定することを更に含む請求項1に記載の方法。
【請求項３】
前記端末は前記ネットワーク側装置が送信した前記アカウントの優先度情報を受信した後に、前回で受信したネットワーク側装置が送信した前記アカウントの優先度情報を換えることを更に含む請求項1に記載の方法。
【請求項４】
前記端末はネットワーク側装置が送信した前記アカウントの優先度情報を受信する前に、
前記端末はネットワーク側装置が送信した優先度切り替えコマンドと前記アカウントをログインする端末の標識を受信した後に、優先度切り替えプログラムを起動し、ユーザには優先度を切り替える必要があることを確定した後に、ユーザが設定した優先度情報を前記ネットワーク側装置に送信することを更に含む請求項3に記載の方法。
【請求項５】
優先度情報の送信方法であって、
ネットワーク側装置は同一のアカウントをログイン済みの複数の端末を確定することと、
同一のアカウントをログインする複数の端末に対して、前記ネットワーク側装置はそれぞれ前記複数の端末に該アカウントをログインする複数の端末の標識と前記標識に対応する優先度を含む該アカウントの優先度情報を送信することと、を含む優先度情報の送信方法。
【請求項６】
前記ネットワーク側装置は前記端末に該アカウントの優先度情報を送信する前に、
前記ネットワーク側装置は該アカウントをログインする各端末に優先度切り替えコマンドと該アカウントをログインする各端末の標識を送信し、前記優先度切り替えコマンドと該アカウントをログインする各端末の標識は、該アカウントをログインする各端末に、優先度切り替えプログラムを起動し、且つユーザには優先度を切り換える必要があることを確定した後に、ユーザが設定した優先度情報を前記ネットワーク側装置に送信するように通知することに用いられることを更に含む請求項5に記載の方法。
【請求項７】
前記ネットワーク側装置は該アカウントをログインする各端末に優先度切り替えコマンドと該アカウントをログインする各端末の標識を送信するのは、
前記ネットワーク側装置は該アカウントをログインする端末が変わることを確定した後に、該アカウントをログインする各端末に優先度切り替えコマンドと該アカウントをログインする各端末の標識を送信すること、または
前記ネットワーク側装置は該アカウントをログインする複数の端末の中にある端末の位置と該アカウントに対応するプリセットの位置の間の距離が該アカウントに対応する閾値より大きいものから前記閾値より大きくないものまで変わる、または前記閾値より大きくないものから前記閾値より大きいものまで変わることを確定した後に、該アカウントをログインする各端末に優先度切り替えコマンドと該アカウントをログインする各端末の標識を送信することを含む請求項6に記載の方法。
【請求項８】
情報の処理装置であって、
端末がログイン済みのアカウントに送信する情報を受信するコマンドを受信した後に、ネットワーク側装置が送信した前記アカウントをログインする各端末の標識と前記標識に対応する優先度を含む前記アカウントの優先度情報に基づいて、前記端末が最高優先度であるかどうかを判断するように設定される判断モジュールと、
前記端末が最高優先度であることを確定した後に、受信したログイン済みのアカウントに送信する情報に対応するアプリケーションプログラムを起動するコマンドを前記端末に送信し、前記端末が最高優先度ではないことを確定した際に、受信したログイン済みのアカウントに送信する情報に対応するアプリケーションプログラムを起動するコマンドを送信しないように設定される第1送信モジュールと、を備える情報の処理装置。
【請求項９】
前記判断モジュールは更に、
端末がログイン済みのアカウントに送信する情報を受信するコマンドを受信した後に、前記端末が最高優先度であるかどうかを判断する前に、受信した、ログイン済みのアカウントに送信する情報に対応するアプリケーションプログラムが前記端末の優先度を検出する必要があるアプリケーションプログラムであることを確定するように設定される請求項8に記載の装置。
【請求項１０】
前記判断モジュールは更に、
ネットワーク側装置が送信した前記アカウントの優先度情報を受信して、その前に受信したネットワーク側装置が送信した前記アカウントの優先度情報を換えるように設定される請求項8に記載の装置。
【請求項１１】
前記判断モジュールは更に、
ネットワーク側装置が送信した前記アカウントの優先度情報を受信する前に、ネットワーク側装置が送信した優先度切り替えコマンドと前記アカウントをログインする端末の標識を受信し、優先度切り替えプログラムを起動し、ユーザには優先度を切り替える必要があることを確定した後に、ユーザが設定した優先度情報を前記ネットワーク側装置に送信するように設定される請求項10に記載の装置。
【請求項１２】
優先度情報の送信装置であって、
同一のアカウントをログイン済みの複数の端末を確定するように設定される確定モジュールと、
同一のアカウントをログインする複数の端末に対して、それぞれ前記複数の端末に該アカウントをログインする複数の端末の標識と前記標識に対応する優先度を含む該アカウントの優先度情報を送信するように設定される第2送信モジュールと、を備える優先度情報の送信装置。
【請求項１３】
前記第2送信モジュールは更に、
前記端末に前記端末のログイン済みのアカウントの優先度情報を送信する前に、該アカウントをログインする各端末に優先度切り替えコマンドと該アカウントをログインする各端末の標識を送信し、前記優先度切り替えコマンドと該アカウントをログインする各端末の標識は、該アカウントをログインする各端末に、優先度切り替えプログラムを起動し、且つユーザには優先度を切り換える必要があることを確定した後に、ユーザが設定した優先度情報を前記ネットワーク側装置に送信するように通知することに用いられるように設定される請求項12に記載の装置。
【請求項１４】
第2送信モジュールは更に、
該アカウントをログインする端末が変わることを確定した後に、該アカウントをログインする各端末に優先度切り替えコマンドと該アカウントをログインする各端末の標識を送信する、または
該アカウントをログインする複数の端末の中にある端末の位置と該アカウントに対応するプリセットの位置の間の距離が該アカウントに対応する閾値より大きいものから前記閾値より大きくないものまで変わる、または前記閾値より大きくないものから前記閾値より大きいものまで変わることを確定した後に、該アカウントをログインする各端末に優先度切り替えコマンドと該アカウントをログインする各端末の標識を送信するように設定される請求項13に記載の装置。
【発明の詳細な説明】
【技術分野】
【０００１】
本発明は移動通信分野に関し、特に情報の処理方法、優先度情報の送信方法及び装置に関する。
【背景技術】
【０００２】
従来、移動インテリジェント端末のアカウントはユーザに複数種のサービス、例えばコンタクトリストの管理、メールの送受信、IPメッセージの送信、ネットワークテレビ電話の呼び出し及び時間同期等を提供することができ、即ち複数種のアプリケーションプログラムは同一のアカウントを使用する。且つ、複数の移動端末は同時に同一のアカウントをログインすることができ、例えば、携帯電話、タブレットPC等の異なるタイプの移動端末または複数のタイプが同じである移動端末に同時にログインすることができ、このように、ユーザはある移動端末に該アカウントに関連するサービスを使用する際に、例えばコンタクトリストを更新する場合に、更新後のコンタクトリストがサーバにアップロードされることになり、ユーザは該アカウントをログインするその他の移動端末にコンタクトリストを検索する際に、更新後のコンタクトリストを見える。
【０００３】
しかしながら、複数の端末はいずれも同一のアカウントによってログインする際に、仮に該ユーザは即時なネットワークテレビ電話を受信し、該ユーザが出かける際にある1つの移動端末だけを持つと、このとき、該アカウントをログインするすべての移動端末はいずれも即時なネットワークテレビ電話を受信し、ネットワークテレビ電話のアプリケーションプログラムを起動し、他人はユーザが持たないが該アカウントをログイン済みのその他の端末に該ネットワークテレビ電話を答えることができ、或いはユーザは持った移動端末に該ネットワークテレビ電話を答える際に、ユーザが持たないが該アカウントをログイン済みのその他の端末にユーザが該ネットワークテレビ電話を答える状況を分かり、このようにユーザはネットワークテレビ電話によってプライベート通信を行う情報の安全性を保証することができない。
【０００４】
以上のように、同一のアカウントは複数の移動端末にログインする際に、該アカウントに送信する情報があると、該アカウントをログインするすべての移動端末は該情報を受信し、且つ該情報に対応するアプリケーションプログラムを起動することとなり、該アカウントを使用するユーザが起動したアプリケーションプログラムを処理する過程に生じた情報は漏洩され、更に該アカウントを使用するユーザのプライベート情報を漏洩する。
【発明の概要】
【発明が解決しようとする課題】
【０００５】
本発明の実施例は、従来の複数の移動端末に同一のアカウントをログインする際に、該アカウントをログインするすべての移動端末は該アカウントに送信する情報を受信し、該情報に対応するアプリケーションプログラムを起動することとなり、該アカウントを使用するユーザが起動したアプリケーションプログラムを処理する過程に生じた情報は漏洩され、更に該アカウントを使用するユーザのプライベート情報を漏洩するという問題を解決するための情報の処理方法、優先度情報の送信方法及び装置を提供する。
【課題を解決するための手段】
【０００６】
上記問題に基づいて、本発明の実施例による情報の処理方法は、
端末はログイン済みのアカウントに送信する情報を受信した後に、ネットワーク側装置が送信した前記アカウントをログインする各端末の標識と前記標識に対応する優先度を含む前記アカウントの優先度情報に基づいて、端末自分が最高の優先度であるかどうかを判断することと、
そうであると、受信したログイン済みのアカウントに送信する情報に基づいて、対応のアプリケーションプログラムを起動し、そうでないと、受信したログイン済みのアカウントに送信する情報に対応するアプリケーションプログラムを起動しないことと、を含む。
【０００７】
本発明の実施例は優先度情報の送信方法を更に提供し、
ネットワーク側装置は同一のアカウントをログイン済みの複数の端末を確定することと、
同一のアカウントをログインする複数の端末に対して、前記ネットワーク側装置はそれぞれ前記複数の端末に前記アカウントをログインする各端末の標識と前記標識に対応する優先度を含む該アカウントの優先度情報を送信することと、を含む。
【０００８】
本発明の実施例が更に提供する情報の処理装置は、
端末がログイン済みのアカウントに送信する情報を受信するコマンドを受信した後に、ネットワーク側装置が送信した前記アカウントをログインする各端末の標識と前記標識に対応する優先度を含む前記アカウントの優先度情報に基づいて、前記端末が最高の優先度であるかどうかを判断するように設定される判断モジュール、及び
前記端末が最高の優先度であることを確定した後に、前記端末に受信したログイン済みのアカウントに送信する情報に対応するアプリケーションプログラムを起動するコマンドを送信し、そうでないと、受信したログイン済みのアカウントに送信する情報に対応するアプリケーションプログラムを起動するコマンドを送信しないように設定される第1送信モジュール、を備える。
【０００９】
本発明の実施例は優先度情報の送信装置を更に提供し、
同一のアカウントをログイン済みの複数の端末を確定するように設定される確定モジュール、及び
同一のアカウントをログインする複数の端末に対して、それぞれ前記複数の端末に該アカウントをログインする複数の端末の標識と前記標識に対応する優先度を含む該アカウントの優先度情報を送信するように設定される第2送信モジュール、を備える。
【発明の効果】
【００１０】
本発明の実施例による情報の処理方法、優先度情報の送信方法及び装置によって、ユーザが複数の端末に同一のアカウントをログインする際に、該アカウントに送信する情報があると、該アカウントをログインする端末のうちの最高の優先度の端末だけは該情報に対応するアプリケーションプログラムを起動し、該アカウントをログインする端末のうちの非最高優先度の端末は該情報に対応するアプリケーションプログラムを起動しなく、従って、該アカウントを使用するユーザが該アカウントをログインする最高優先度の端末に起動したアプリケーションプログラムを処理する過程に生じた情報は、該アカウントをログインする非最高優先度の端末から漏洩されることがなく、該アカウントを使用するユーザのプライベート情報の機密性と安全性を向上させる。
【図面の簡単な説明】
【００１１】
【図１】図1は本発明の実施例による情報の処理方法を示すフローチャートの一である。
【図２】図2は本発明の実施例による情報の処理方法を示すフローチャートの二である。
【図３】図3は本発明の実施例による優先度情報の送信方法を示すフローチャートの一である。
【図４】図4は本発明の実施例による優先度情報の送信方法を示すフローチャートの二である。
【図５】図5は本発明の実施例による優先度情報の送信方法を示すフローチャートの三である。
【図６】図6は本発明の実施例による優先度情報の送信と受信方法を具体的に応用する際のフローチャートである。
【図７】図7は本発明の実施例による情報の処理装置を示す構造図である。
【図８】図8は本発明の実施例による優先度情報の送信装置を示す構造図である。
【発明を実施するための形態】
【００１２】
本発明の実施例は情報の処理方法、優先度情報の送信方法及び装置を提供する。ユーザは複数の端末に同一のアカウントをログインする際に、端末がアカウントをログイン済みの情報を受信した後に、まず受信したネットワーク側装置からの該アカウントの優先度情報に基づいて端末自分は最高優先度であるかどうかを判断し、最高優先度の端末だけは該情報に対応するアプリケーションプログラムを起動し、該アカウントを使用するユーザのプライベート情報の機密性と安全性を保証する。
【００１３】
以下、明細書の図面を参照して、本発明の実施例による情報の処理方法、優先度情報の送信方法及び装置の具体的な実施形態を説明する。なお、衝突しない場合に、本願における実施例及び実施例における特徴を互いに任意に組み合わせることができる。
【００１４】
本発明の実施例による情報の処理方法は、図1に示すように、
端末はログイン済みのアカウントに送信する情報を受信するステップS101、
端末はネットワーク側装置が送信した前記アカウントをログインする各端末の標識と前記標識に対応する優先度を含む前記アカウントの優先度情報に基づいて、自分は最高優先度であるかどうかを判断し、そうであると、ステップS103を実行し、そうでないと、ステップS104を実行するステップS102、
端末は受信した、ログイン済みのアカウントに送信する情報に基づいて対応のアプリケーションプログラムを起動するステップS103、及び
端末は受信した、ログイン済みのアカウントに送信する情報に対応するアプリケーションプログラムを起動しないステップS104、を含み、
ある1つの具体的な応用シーンにおいて、端末A、端末B及び端末CはいずれもアカウントSをログインし、ある時点で、端末A、端末B及び端末CはいずれもアカウントSの情報を受信し、端末A、端末B及び端末Cはそれぞれ受信したアカウントSの優先度情報に基づいて自分が最高優先度であるかどうかを判断する。端末Aだけが最高優先度であると、端末Aだけは受信した、アカウントSに送信した情報に対応するアプリケーションプログラムを起動し、アカウントSを使用するユーザは端末Aだけに該情報を処理し、端末Bと端末Cは自分の優先度が最高優先度ではないため、端末Bと端末CはアカウントSの情報を受信したが、受信した情報に対応するアプリケーションプログラムを起動しなく、従って他人は端末Bと端末CにアカウントSを使用するユーザが端末AにアカウントSに送信する情報を処理する状況を分からなく、アカウントSを使用するユーザのプライベート情報の機密性と安全性を向上させる。
【００１５】
なお、最高優先度の端末は1つだけではなく、必要に応じて複数の最高優先度の端末を設定することができる。
【００１６】
上記のログイン済みのアカウントとは、同一のアカウントが複数のアプリケーションプログラムに応用でき、即ち複数のアプリケーションプログラムはいずれも同一のアカウントを使用することを指す。実際に使用する際に、ユーザは、ログイン済みのアカウントのすべての情報を受信した後にいずれも自分の優先度を判断することではなく、ログイン済みのアカウントのいくつのアプリケーションプログラムの情報を受信した後に端末自分の優先度を判断するように設定することができる。
【００１７】
従って、本発明の実施例による情報の処理方法はステップS101の後とステップS102の前に、図2に示すように、
端末は受信したログイン済みのアカウントに送信する情報に対応するアプリケーションプログラムが該端末の優先度を検出する必要があるアプリケーションプログラムであることを確定するステップS102aを更に含んでよい。
【００１８】
端末はログイン済みのアカウントに送信した自分の優先度を検出する必要があるアプリケーションプログラムの情報を受信した後に端末が自分の優先度を判断する必要があり、ユーザは最高優先度の端末だけにこれらのプログラムに対応する情報を処理することができる。該アカウントに送信したその他のアプリケーションプログラムに対応する情報を受信した後に端末自分の優先度を判断する必要せず、即ちユーザはいずれかの該アカウントに送信したその他のアプリケーションプログラムに対応する情報を受信するいずれか端末に該情報を処理することができる。
【００１９】
例えば、ユーザは端末A、端末B及び端末CにいずれもアカウントSをログインし、且つ端末Aが最高優先度であり、端末Bと端末Cが最高優先度ではない。アカウントSはネットワークテレビ電話、メール及びカレンダー同期のサービスを提供し、即ちユーザはアカウントSをログイン済みの後にネットワークテレビ電話、電子メール及びカレンダー同期のアプリケーションプログラムを使用できる。仮に、ユーザはネットワークテレビ電話と電子メールを端末の優先度を検出する必要があるアプリケーションプログラムとして、カレンダー同期は端末の優先度を検出する必要があるアプリケーションプログラムではないため、端末A、端末B及び端末Cはネットワークテレビ電話又は電子メールの情報を受信した後にそれぞれ自分の優先度を判断することとなり、優先度が最高である端末、即ち端末Aだけはネットワークテレビ電話又は電子メールのアプリケーションプログラムを起動でき、ユーザは端末Aだけに受信した情報を処理し、端末Bと端末Cはネットワークテレビ電話又は電子メールの情報を受信するが、対応のアプリケーションプログラムを起動せず、ユーザは端末Bと端末Cに該情報を処理することができない。しかしながら、端末A、端末B及び端末Cが受信したのはカレンダー同期の情報であると、端末A、端末B及び端末Cはいずれもカレンダー同期のアプリケーションプログラムを起動し、ユーザは端末A、端末B及び端末Cのうちのいずれかの端末に該情報を処理することができる。
【００２０】
好ましくは、上記のアカウントの優先度情報は該アカウントをログインする各端末に保存され、端末はネットワーク側装置が送信した該アカウントの優先度情報を受信した度に、新しく受信した該アカウントの優先度情報でその前のネットワーク側装置が送信した該アカウントの優先度情報を換える。
【００２１】
好ましくは、端末はネットワーク側装置が送信した該端末がアカウントをログイン済みの優先度情報を受信する前に、
端末はネットワーク側装置が送信した優先度切り替えコマンドと前記アカウントをログイン済みの端末の標識を受信した後に、優先度切り替えプログラムを起動し、ユーザは優先度を切り換える必要があることを確定した後に、ユーザが設定した優先度情報を前記ネットワーク側装置に送信することを更に含む。
【００２２】
ある1つの応用シーンにおいて、端末A、端末B及び端末CはいずれもアカウントSをログインし、ネットワーク側装置はアカウントSをログイン済みのすべての端末、即ち端末A、端末B及び端末CにアカウントSの優先度情報を送信する前に、ネットワーク側装置はまず端末A、端末B及び端末Cに優先度切り替えコマンドとアカウントSをログインする端末の標識を送信する。実際に使用する際に、各端末のMEID（Mobile Equipment Identifier、移動端末識別番号）を端末の標識として、即ちネットワーク側装置は端末AのMEID、端末BのMEID及び端末CのMEIDをアカウントSをログイン済みの各端末に送信することができる。優先度切り替えコマンドを受信した端末A、端末B及び端末Cは自分の優先度切り替えプログラムを起動し、次に受信したアカウントSをログインする端末の標識、即ち端末AのMEID、端末BのMEID及び端末CのMEIDを表示し、ユーザはいずれかの端末に端末A、端末B及び端末Cのために優先度を設定でき、次に端末はユーザが設定したアカウントSの優先度情報をネットワーク側装置に送信することとなり、該優先度情報はアカウントSをログイン済みのすべての端末の標識とアカウントSをログイン済みの端末の優先度の対応関係を含む。
【００２３】
そのうち、端末の標識は各端末のMEID以外、その他のいずれの1つの端末を唯一に標識できる情報であってよい。
【００２４】
本発明の実施例は優先度情報の送信方法を更に提供し、図3に示すように、
ネットワーク側装置は同一のアカウントをログイン済みの各端末を確定するステップS301、及び
同一のアカウントをログインする各端末に対して、ネットワーク側装置は各端末に該アカウントをログインする各端末の標識と前記標識に対応する優先度を含む該アカウントの優先度情報を送信するステップS302、を含む。
【００２５】
ネットワーク側装置に数多くのアカウントの優先度情報を保存するため、ネットワーク側装置は端末にあるアカウントの優先度情報を送信する際に、まず該アカウントをログイン済みの端末を確定し、次に該アカウントをログイン済みの各端末に該アカウントの優先度情報を送信する。
【００２６】
図4に示すように、ネットワーク側装置はアカウントをログイン済みの端末を確定した後に、ネットワーク側装置は同一のアカウントをログインする各端末に該アカウントの優先度情報を送信する前に、
ネットワーク側装置は該アカウントをログインする各端末に優先度切り替えコマンドと該アカウントをログインする各端末の標識を送信するステップS302aを更に含んでよく、
該優先度切り替えコマンドと該アカウントをログインする各端末の標識は、該アカウントをログインする各端末に、優先度切り替えプログラムを起動し、ユーザには優先度を切り換える必要があることを確定した後に、ユーザが設定した優先度情報をネットワーク側装置に送信するように通知することに用いられる。
【００２７】
図5に示すように、ネットワーク側装置は該アカウントをログインする各端末に優先度切り替えコマンドと該アカウントをログインする各端末の標識を送信するのは、
ネットワーク側装置は該アカウントをログインする端末が変わることを確定し、又はネットワーク側装置は該アカウントをログインする端末において端末の位置と該アカウントに対応するプリセットの位置の間の距離が該アカウントに対応する閾値より大きいものから前記閾値より大きくないものまで変わるまたは前記閾値より大きくないものから前記閾値より大きいものまで変わることを確定するステップS302a1、及び
ネットワーク側装置は該アカウントをログインする各端末に優先度切り替えコマンドと該アカウントをログインする各端末の標識を送信するステップS302a2、を更に含んでよい。
【００２８】
上記のネットワーク側装置は該アカウントをログインする端末が変わることを確定するとは、ネットワーク側装置は該アカウントをログインする端末のうちの最高優先度の端末が該アカウントのログインをログアウトするコマンド又は新しい端末が該アカウントをログインするコマンドを受信することを指す。
【００２９】
ネットワーク側装置におけるあるアカウントに対して、図6は本発明の実施例による優先度情報の送信と受信方法を具体的に応用する際のフローチャートであり、
該アカウントをログインするいずれかの端末はユーザが添加したプリセットの位置と優先度切り替えを起動する最小距離を受信するステップS601、
該端末は受信したプリセットの位置と優先度切り替えを起動する最小距離をネットワーク側装置に送信するステップS602、
ネットワーク側装置は受信したプリセットの位置と優先度切り替えを起動する最小距離を該アカウントに対応して保存するステップS603、
該アカウントをログインするいずれかの端末はユーザが添加した該アカウントのいずれのアプリケーションプログラムのプログラム名称を受信して、端末の優先度を検出する必要があるアプリケーションプログラムとするステップS604、
該端末は受信した端末の優先度を検出する必要があるアプリケーションプログラムのプログラム名称をネットワーク側装置に送信するステップS605、
ネットワーク側装置は該アカウントをログインする端末を確定するステップS606、
ネットワーク側装置は端末の優先度を検出する必要があるアプリケーションプログラムのプログラム名称を該アカウントをログインする各端末に送信するステップS607、
該アカウントをログインする各端末にネットワーク側装置が送信した端末の優先度を検出する必要があるアプリケーションプログラムのプログラム名称を保存するステップS608、
ネットワーク側装置は周期的にGPSサーバに該アカウントをログインする各端末の位置情報をキャッチする要求を送信し、該アカウントをログインする端末はGPS位置決め機能を起動する必要があるステップS609、
GPSサーバはネットワーク側装置に該アカウントをログインする各端末の位置情報を送信するステップS610、
ネットワーク側装置は該アカウントをログインする端末が変わることを確定し、又はネットワーク側装置は該アカウントをログインするいずれかの端末の位置と該アカウントに対応するプリセットの位置との距離が該アカウントに対応する優先度切り替えを起動する最小距離より大きいから該最小距離より大きくないまで変わることを確定し、又はネットワーク側装置は該アカウントをログインするいずれかの端末の位置と該アカウントに対応するプリセットの位置との距離が該アカウントに対応する優先度切り替えを起動する最小距離より大きくないから該最小距離より大きいまで変わることを確定するステップS611、
ネットワーク側装置は該アカウントをログインする各端末に優先度切り替えコマンドと該アカウントをログインするすべての端末の標識を送信するステップS612、
該アカウントをログインするいずれかの端末はユーザが設定した優先度情報を受信するステップS613、
該端末は受信した優先度情報をネットワーク側装置にアップロードして該アカウントの優先度情報とするステップS614、
ネットワーク側装置は該アカウントの優先度情報を該アカウントをログインする各端末に送信するステップS615、
該アカウントをログインする各端末は該アカウントの優先度情報を受信してその前に受信した該アカウントの優先度情報を換えるステップS616、を含み、
S601、S602及びS603と、S604、S605、S606、S607及びS608とは、論理的な先後順序を有しなく、先にS604、S605、S606、S607及びS608を実行して、次にS601、S602及びS603を実行してもよい。
【００３０】
具体的に応用する際に、ネットワーク側装置はクラウドサーバであってよく、クラウドサーバによりアカウントに関連する情報を管理する。以下、端末A、端末B及び端末CがいずれもアカウントSをログインし、アカウントSがアプリケーションプログラムP1、アプリケーションプログラムP2及びアプリケーションプログラムP3を提供するサービスを例として優先度情報を実際に使用する際に如何に操作することを説明する。
【００３１】
仮に端末A、端末B及び端末CはいずれもアカウントSをログインし、ユーザはまず端末A、端末B及び端末Cのうちのいずれかの端末に端末の優先度を検出する必要があるアプリケーションプログラムのプログラム名称を添加してクラウドサーバにアップロードし、例えば、ユーザはアプリケーションプログラムP1とアプリケーションプログラムP2のプログラム名称を端末の優先度を検出する必要があるアプリケーションプログラムとして添加し、次に、クラウドサーバアプリケーションプログラムP1とアプリケーションプログラムP2のプログラム名称はアカウントSをログイン済みの各端末に送信され、端末A、端末B及び端末Cは受信したプログラム名称をアカウントSに対応して保存する。
【００３２】
また、ユーザは上記優先度を検出する必要があるアプリケーションプログラムのプログラム名称を随時に添加又は削除することができる。いずれかの端末に端末の優先度を検出する必要があるアプリケーションプログラムのプログラム名称を添加又は削除した後に、優先度を検出する必要がある新しいアプリケーションプログラムのプログラム名称はいずれもクラウドサーバにアップロードされ、次にクラウドサーバによって該端末と同一のアカウントをログインする各端末に送信されて該アカウントに対応して保存される。
【００３３】
また、ユーザは端末A、端末B及び端末Cのうちのいずれかの端末にプリセットの位置と優先度切り替えを起動する最小距離を添加し、クラウドサーバにアップロードしてアカウントSに対応して保存する必要がある。クラウドサーバは周期的にGPS（Global Positioning System、全地球測位システム）サーバからアカウントSをログインする各端末の位置情報をキャッチする。
【００３４】
クラウドサーバはアカウントSに対応するプリセットの位置と優先度切り替えを起動する最小距離を受信した後に、ユーザはアカウントSをログインするいずれかの端末を移動することができる。クラウドサーバが今回で確定したアカウントSをログインするいずれかの端末の位置とアカウントSに対応するプリセットの位置との距離はアカウントSに対応する優先度切り替えを起動する最小距離より大きく、前回で確定した該端末の位置と該プリセットの位置との距離は該最小距離より大きくなく、又はクラウドサーバが今回で確定したアカウントSをログインするいずれかの端末の位置とアカウントSに対応するプリセットの位置との距離はアカウントSに対応する優先度切り替えを起動する最小距離より大きくなく、前回で確定した該端末の位置と該プリセットの位置との距離は該最小距離より大きい際に、クラウドサーバはアカウントSをログインする各端末に優先度切り替えコマンドとアカウントSをログインするすべての端末の標識を送信する。
【００３５】
端末A、端末B及び端末Cはクラウドサーバが送信した優先度切り替えコマンドとアカウントSをログインするすべての端末の標識を受信した後に、ユーザは優先度情報を改めて設定するかどうかを選択でき、ユーザは優先度情報を改めて設定する必要があるのを選択した後に、また、端末A、端末B及び端末Cのうちのいずれかの端末に端末A、端末B及び端末Cのために優先度を設定することを選択でき、ユーザが設定した優先度情報を受信した後の端末は該優先度情報をクラウドサーバにアップロードしてアカウントSの優先度情報とし、クラウドサーバは更に該優先度情報をアカウントSをログインする各端末に送信し、端末A、端末B及び端末Cはそれぞれ受信した優先度情報に基づいて自分の優先度標識ビットの値を設定する。
【００３６】
仮に端末A、端末B及び端末Cの中で、端末Aは最高優先度であり、クラウドサーバは端末AがアカウントSのログインをログアウトするコマンドを受信した後に、クラウドサーバは端末Bと端末Cに優先度切り替えコマンドとアカウントSをログインするすべての端末の標識、即ち端末Bと端末Cの標識を送信し、ユーザが端末Bと端末Cのために優先度を改めて設定することを待ち、ユーザは優先度情報を改めて設定するかどうかを選択でき、ユーザは優先度情報を改めて設定する必要があるのを選択した後に、また、端末Bと端末Cのうちのいずれかの端末に端末Bと端末Cのために優先度を設定することを選択でき、ユーザが設定した優先度情報を受信した後の端末は該優先度情報をクラウドサーバにアップロードしてアカウントSに対応する優先度情報とし、クラウドサーバは更に該優先度情報をアカウントSをログインする各端末に送信し、端末Bと端末Cはそれぞれ受信した優先度情報に基づいて自分の優先度標識ビットの値を設定する。クラウドサーバは端末Bまたは端末CがアカウントSのログインをログアウトするコマンドを受信した後に、優先度切り替えコマンドとアカウントSをログインするすべての端末の標識を送信しない。
【００３７】
仮にクラウドサーバは端末DがアカウントSをログインするコマンドを受信した後に、クラウドサーバは端末A、端末B、端末C及び端末Dに優先度切り替えコマンドとアカウントSをログインするすべての端末の標識、即ち端末A、端末B、端末C及び端末Dの標識を送信し、ユーザがアカウントSの優先度情報を改めて設定することを待ち、ユーザは優先度情報を改めて設定するかどうかを選択でき、ユーザは優先度情報を改めて設定する必要があるのを選択した後に、また、端末A、端末B、端末C及び端末Dのうちのいずれかの端末に端末A、端末B、端末C及び端末Dのために優先度を設定することを選択でき、ユーザが設定した優先度情報を受信した後の端末は該優先度情報をクラウドサーバにアップロードしてアカウントSの優先度情報とし、クラウドサーバは更に該優先度情報をアカウントSをログインする各端末に送信し、端末A、端末B、端末C及び端末Dはそれぞれ受信した優先度情報に基づいて自分の優先度標識ビットの値を設定する。
【００３８】
同様な発明思想に基づいて、本発明の実施例は情報の処理装置及び優先度情報の送信装置を更に提供し、これらの装置は解決しようとする問題の原理は前記の情報の処理方法と優先度情報の送信方法と同様であるため、該装置の実施については前記方法の実施を参照でき、重複なことを省略する。
【００３９】
本発明の実施例は情報の処理装置を更に提供し、図7に示すように、
端末がログイン済みのアカウントに送信する情報を受信するコマンドを受信した後に、ネットワーク側装置が送信した前記アカウントをログインする各端末の標識と前記標識に対応する優先度を含む前記アカウントの優先度情報に基づいて、該端末が最高の優先度であるかどうかを判断するように設定される判断モジュール71、及び
該端末が最高の優先度であることを確定した後に、該端末に受信したログイン済みのアカウントに送信する情報に対応するアプリケーションプログラムを起動するコマンドを送信し、そうでないと、受信したログイン済みのアカウントに送信する情報に対応するアプリケーションプログラムを起動するコマンドを送信しないように設定される第1送信モジュール72、を備える。
【００４０】
好ましくは、判断モジュール71は更に、端末がログイン済みのアカウントに送信する情報を受信するコマンドを受信した後に、該端末が最高優先度であるかどうかを判断する前に、受信したログイン済みのアカウントに送信する情報に対応するアプリケーションプログラムが該端末の優先度を検出する必要があるアプリケーションプログラムであることを確定するように設定される。
【００４１】
好ましくは、判断モジュール71は更に、ネットワーク側装置が送信した該アカウントの優先度情報を受信して、その前に受信したネットワーク側装置が送信した該アカウントに対応する優先度情報を換えるように設定される。
【００４２】
好ましくは、判断モジュール71は更に、ネットワーク側装置が送信した該アカウントの優先度情報を受信する前に、ネットワーク側装置が送信した優先度切り替えコマンドと該アカウントをログインする端末の標識を受信し、優先度切り替えプログラムを起動し、ユーザは優先度を切り替える必要があることを確定した後に、ユーザが設定した優先度情報をネットワーク側装置に送信するように設定される。
【００４３】
本発明の実施例は更に優先度情報の送信装置を提供し、図8に示すように、
同一のアカウントをログイン済みの各端末を確定するように設定される確定モジュール81、及び
同一のアカウントをログインする各端末に対して、各端末に該アカウントをログインする各端末の標識と前記標識に対応する優先度を含む該アカウントの優先度情報を送信するように設定される第2送信モジュール82、を備える。
【００４４】
好ましくは、第2送信モジュール82は更に、該端末に該端末のログイン済みのアカウントの優先度情報を送信する前に、同一のアカウントをログインする各端末に優先度切り替えコマンドと該アカウントをログインする各端末の標識を送信し、該優先度切り替えコマンドと該アカウントをログインする各端末の標識は、該アカウントをログインする各端末に、優先度切り替えプログラムを起動し、ユーザには優先度を切り換える必要があることを確定した後に、ユーザが設定した該アカウントをログイン済みの端末の標識と優先度の対応関係を含む優先度情報を前記ネットワーク側装置に送信するように通知することに用いられるように設定される。
【００４５】
好ましくは、第2送信モジュール82は更に、同一のアカウントをログインする端末が変わることを確定した後に、同一のアカウントをログインする各端末に優先度切り替えコマンドと該アカウントをログインする各端末の標識を送信する、または、
同一のアカウントをログインする端末にある端末の位置と該アカウントに対応するプリセットの位置の間の距離が該アカウントに対応する閾値より大きいものから前記閾値より大きくないものまで変わる、または前記閾値より大きくないものから前記閾値より大きいものまで変わることを確定した後に、同一のアカウントをログインする各端末に優先度切り替えコマンドと該アカウントをログインする各端末の標識を送信するように設定される。
【００４６】
以上の実施形態の説明によって、当業者は、本発明の実施例はハードウェアによって実現でき、ソフトウェアと必要な汎用ハードウェアプラットフォームによって実現することもできることを明らかに了解できる。このような理解に基づいて、本発明の実施例の技術的解決手段はソフトウェア製品によって現れることができ、該ソフトウェア製品は1つの不揮発性記憶媒体（CD-ROM、Uディスク、モバイルディスク等であってよい）に記憶されることができ、いくつかのコマンドを含んで1台のコンピュータ装置（パーソナルコンピュータ、サーバ、又はネットワーク装置等であってよい）が本発明の各実施例による方法を実行させる。
【００４７】
当業者にとって、図面は1つの好ましい実施例の模式図だけであり、図面におけるモジュールまたはフローは必ずしも本発明を実施するためのものとは限らないことを理解することができる。
【００４８】
当業者にとって、実施例による装置におけるモジュールは実施例の説明にしたがって実施例の装置に分布することができ、対応的に変化して本実施例と異なる1つまたは複数の装置に位置することもできることを理解できる。上記実施例のモジュールを1つのモジュールに合併することができ、更に複数のサブモジュールに分割することもできる。
【００４９】
上記の本発明の実施例の番号は説明するものだけであり、実施例の優劣を代表することはない。
【００５０】
当業者は、本発明の精神と範囲を逸脱しない限り、本発明に対して様々な変更と変形を行うことができると言うまでもない。このように、本発明のこれらの変更と変形は本発明の請求項及びその等価技術の範囲に属すると、本発明もこれらの変更と変形を含むことを意図する。
【産業上の利用可能性】
【００５１】
本発明の実施例は該アカウントを使用するユーザのプライベート情報の機密性と安全性を向上させる。
【図１】
2015534336.tif 000003
【図２】
2015534336.tif 000004
【図３】
2015534336.tif 000005
【図４】
2015534336.tif 000006
【図５】
2015534336.tif 000007
【図６】
2015534336.tif 000008
【図７】
2015534336.tif 000009
【図８】
2015534336.tif 000010
【国際調査報告】
2015534336.tif 000011
2015534336.tif 000012
2015534336.tif 000013
2015534336.tif 000014
2015534336.tif 000015
2015534336.tif 000016